(57)【特許請求の範囲】
【請求項１】
互いに対向する主面と裏面とを持つモジュール基板と、
少なくとも前記モジュール基板の主面上に形成されたアンテナパターンと、
前記モジュール基板の主面上に形成されたグランドパターンと、
前記グランドパターン上に実装された受信回路部とを有し、
前記アンテナパターンの一部と前記グランドパターンの一部とが、所定の間隔をもって対向配置されており、
前記アンテナパターンは、前記モジュール基板の主面上に形成された第１のアンテナパターン部分を有し、
前記第１のアンテナパターン部分は、左右方向に延在して形成された第１の延在部分と、該第１の延在部分と平行に間隔をあけて左右方向に延在して形成された第２の延在部分と、前記第１の延在部分と前記第２の延在部分とを連結する連結部分とから構成され、
前記第１の延在部分の前記第２の延在部分よりも長くされた部分が前記グランドパターンと対向していることを特徴とする受信モジュール。
【請求項２】
前記アンテナパターンは、前記モジュール基板の裏面上に形成された第２のアンテナパターン部分を更に有し、
前記第１のアンテナパターン部分と前記第２のアンテナパターン部分とは前記モジュール基板を介して対向配置されている、請求項１に記載の受信モジュール。
【請求項３】
前記受信回路部は、
前記アンテナパターンで受信した信号を増幅する低雑音増幅器と、
該低雑音増幅器と前記アンテナパターンとの間に配置されて、前記低雑音増幅器と前記アンテナパターンとの間のマッチングをとるマッチング回路と、
前記低雑音増幅器で増幅された信号から所定の周波数範囲の信号を通過させるフィルタ回路と、
該フィルタ回路を通過した信号に対して受信処理を行うモジュール部と、
を備えた、請求項１又は２に記載の受信モジュール。
【請求項４】
前記モジュール基板から延在して、本体の回路基板と接続するためのフレキシブルプリント基板を更に有する、請求項１乃至３のいずれか１項に記載の受信モジュール。
【請求項５】
前記所定の間隔が、３ｍｍ〜５ｍｍの範囲にある、請求項１乃至４のいずれか１項に記載の受信モジュール。
【請求項６】
前記所定の範囲が実質的に３ｍｍに等しい、請求項５に記載の受信モジュール。
【請求項７】
請求項１乃至６のいずれか１項に記載の受信モジュールを内蔵した携帯機器端末。
【請求項８】
前記携帯機器端末が携帯電話機からなる、請求項７に記載の携帯機器端末。
【請求項９】
前記携帯電話機が折り畳み型携帯電話機からなる、請求項８に記載の携帯機器端末。
【請求項１０】
前記折り畳み型携帯電話機は、表示部を有する上側ユニットと、操作部を有する下側ユニットと、前記上側ユニットと前記下側ユニットとを開閉自在に結合するヒンジ部とを備え、
前記受信モジュールが、前記上側ユニットの上部に内蔵されている、
請求項９に記載の携帯機器端末。
【発明の詳細な説明】
【技術分野】
【０００１】
本発明は、受信モジュールに関し、特に、ワンセグ放送を受信可能な受信モジュールおよびそれを備えた携帯機器端末に関する。
【背景技術】
【０００２】
携帯電話機などの携帯機器端末には、地上波デジタル放送におけるワンセグ放送を受信可能なものがある。そのようなワンセグ放送を受信するためのアンテナ装置として、ホイップアンテナや内蔵アンテナが使用されている。尚、ワンセグ放送の受信周波数帯は、４７０ＭＨｚ〜７７０ＭＨｚの周波数範囲にある。
【０００３】
図１および図２に、それぞれ、ホイップアンテナ７２を備えた第１の従来の携帯電話機７０と、内蔵アンテナ７２Ａを備えた第２の従来の携帯電話機７０Ａとを示す。
【０００４】
図１に示されるように、ホイップアンテナ７２を備えた第１の従来の携帯電話機７０は、セット本体７４を有し、そのセット本体７４にワンセグモジュール部７６が搭載されている。ワンセグモジュール部７６とホイップアンテナ７２とは、ケーブル７８を介して接続されている。
【０００５】
一方、図２に示されるように、内蔵アンテナ７２Ａを備えた第２の従来の携帯電話機７０Ａも、セット本体７４を有し、そのセット本体７４にワンセグモジュール部７６が搭載されている。ワンセグモジュール部７６と内蔵アンテナ７２Ａとは、ケーブル７８を介して接続されている。
【０００６】
図１および図２に示されるような、従来の携帯電話機７０、７０Ａでは、アンテナ７２、７２Ａとワンセグモジュール部７６とは別々に構成されており、ケーブル７８で接続されている。その為、次に述べるような問題点がある。第１及び第２の従来の携帯電話機７０、７０Ａの両方とも、コンパクトにできず、挿入損失が発生してしまうという問題がある。また、第２の従来の携帯電話機７０Ａでは、さらに、内蔵アンテナ７２Ａのアンテナ利得がホイップアンテナ７２のアンテナ利得よりも低いという問題がある。
【０００７】
一方、ワンセグ放送受信用のアンテナではないが、多層回路基板にアンテナパターンとアンテナ回路とを形成した基板アンテナが知られている。例えば、特開２００４−１７２８７５号公報（特許文献１）は、誘電体層を複数層備えた多層回路基板の何れかの層に、アンテナエレメントとそのアース層、及びアンテナ回路とそのアース層を形成した基板アンテナを開示している。特許文献１に開示された基板アンテナでは、アンテナパターンとアンテナエレメント用のアース層間の距離と、アンテナ回路とアンテナ回路用のアース層間の距離とを異ならせている。尚、特許文献１において、アンテナ回路は、低雑音増幅器(ＬＮＡ)である。
【先行技術文献】
【特許文献】
【０００８】
【特許文献１】特開２００４−１７２８７５号公報
【発明の概要】
【発明が解決しようとする課題】
【０００９】
特許文献１に開示された基板アンテナは、多層回路基板の主面上にアンテナパターンを形成し、多層回路基板の別の層に、アンテナパターンと対向してアンテナパターンのアース層（グランドパターン）を形成した、基板アンテナを開示しているに過ぎない。すなわち、特許文献１に開示された基板アンテナでは、アンテナパターンとグランドパターンとは、異なる層（面）に形成されている。また、特許文献１は、低雑音増幅器などのアンテナ回路を備えた基板アンテナを開示しているだけあって、受信モジュールとは異なる。
【００１０】
したがって、本発明の目的は、小型化／薄型化を図ることができる、受信モジュールを提供することにある。
【００１１】
本発明の他の目的は、アンテナ利得を向上させることができ、受信モジュールを提供することにある。
【００１２】
本発明の更に他の目的は、アンテナ利得に悪影響を与えないようなパターン配置をもつ、受信モジュールを提供することにある。
【００１３】
本発明のさらなる他の目的は、本体との接続が容易な、受信モジュールを提供することにある。
【課題を解決するための手段】
【００１４】
本発明によれば、互いに対向する主面（４２ａ）と裏面（４２ｂ）とを持つモジュール基板（４２）と、少なくともモジュール基板の主面上に形成されたアンテナパターン（４４；４４Ａ；４４Ｂ）と、モジュール基板の主面上に形成されたグランドパターン（４６）と、グランドパターン上に実装された受信回路部（５０）とを有し、アンテナパターンの一部とグランドパターンの一部とが、所定の間隔（Ｘ）をもって対向配置されており、アンテナパターン（４４；４４Ａ；４４Ｂ）は、モジュール基板（４２）の主面（４２ａ）上に形成された第１のアンテナパターン部分（４４２）を有し、第１のアンテナパターン部分（４４２）は、左右方向に延在して形成された第１の延在部分（４４２−１）と、第１の延在部分と平行に間隔をあけて左右方向に延在して形成された第２の延在部分（４４２−２）と、第１の延在部分と第２の延在部分とを連結する連結部分（４４２−３）とから構成され、第１の延在部分（４４２−１）の第２の延在部分（４４２−２）よりも長くされた部分（Ａ）がグランドパターン（４６）と対向していることを特徴とする受信モジュール（４０；４０Ａ；４０Ｂ；４０Ｃ）が得られる。
【００１５】
上記受信モジュール（４０；４０Ｂ；４０Ｃ）において、アンテナパターン（４４；４４Ｂ）は、モジュール基板（４２）の裏面（４２ｂ）上に形成された第２のアンテナパターン部分（４４４）を更に有してよい。この場合、第１のアンテナパターン部分（４４２）と第２のアンテナパターン部分（４４４）とはモジュール基板（４２）を介して対向配置される。受信回路部（５０）は、アンテナパターンで受信した信号を増幅する低雑音増幅器（５２）と、この低雑音増幅器とアンテナパターンとの間に配置されて、低雑音増幅器とアンテナパターンとの間のマッチングをとるマッチング回路（５４）と、低雑音増幅器で増幅された信号から所定の周波数範囲の信号を通過させるフィルタ回路（５６）と、このフィルタ回路を通過した信号に対して受信処理を行うモジュール部（５８）と、を備えるものであってよい。受信モジュールは、モジュール基板（４２）から延在して、本体の回路基板（２２）と接続するためのフレキシブルプリント基板（６０）を更に有してよい。上記所定の間隔（Ｘ）は、３ｍｍ〜５ｍｍの範囲にあることが好ましい。上記所定の範囲（Ｘ）は実質的に３ｍｍに等しいことがより好ましい。
【００１６】
また、本発明によれば、上記受信モジュール（４０；４０Ａ；４０Ｂ；４０Ｃ）を内蔵した携帯機器端末（１０）が得られる。
【００１７】
上記携帯機器端末（１０）において、携帯機器端末は、携帯電話機からなってよい。携帯電話機は折り畳み型携帯電話機からなってよい。折り畳み型携帯電話機は、表示部を有する上側ユニットと、操作部を有する下側ユニットと、上側ユニットと下側ユニットとを開閉自在に結合するヒンジ部とを備えるものでよい。この場合、受信モジュールは、上側ユニットの上部に内蔵されていることが望ましい。
【００１８】
尚、上記括弧内の符号は、本発明の理解を容易にするために付したものであり、一例にすぎず、これらに限定されないのは勿論である。
【発明の効果】
【００１９】
本発明では、モジュール基板の主面上にアンテナパターンとグランドパターンとを形成し、グランドパターン上に受信回路部を実装したので、小型で薄型の受信モジュールを提供することが可能となる。
【図面の簡単な説明】
【００２０】
【図１】第１の従来の携帯電話機を示す概略平面図である。
【図２】第２の従来の携帯電話機を示す概略平面図である。
【図３】本発明の第１の実施の形態に係る受信モジュールが適用される携帯機器端末を示す図で、（Ａ）は携帯機器端末を開いた状態の正面図であり、（Ｂ）は携帯機器端末を開いた状態の透視側面図である。
【図４】本発明の第１の実施の形態に係る受信モジュールの構成を示す回路ブロック図である。
【図５】図４に示した受信モジュールに使用される、基板アンテナの一例を示す平面図である。
【図６】所定の間隔を１ｍｍ、３ｍｍ、および５ｍｍと変化させたときの、図５に示した基板アンテナのＶＳＷＲの周波数特性を示す図である。
【図７】所定の間隔を１ｍｍ、３ｍｍ、および５ｍｍと変化させたときの、図５に示した基板アンテナのアンテナ効率の周波数特性を示す図である。
【図８】図４に示した受信モジュールに使用される、基板アンテナの他の例を示す図で、（Ａ）は基板アンテナの平面図であり、（Ｂ）は基板アンテナの底面図である。
【図９】図５に示した基板アンテナと図８に示した基板アンテナとのアンテナ効率の周波数特性を示す図である。
【図１０】図４に示した受信モジュールに使用される各種の基板アンテナを示す図で、（Ａ）はアンテナパターンに折り返しがない基板アンテナを示す断面図であり、（Ｂ）はアンテナパターンに折り返しがある２層構造の基板アンテナを示す断面図であり、（Ｃ）はアンテナパターンに折り返しがある４層構造の基板アンテナを示す断面図である。
【発明を実施するための形態】
【００２１】
以下、図面を参照して、本発明の実施の形態について詳細に説明する。
【００２２】
最初に、図３を参照して、本発明の第１の実施の形態に係る受信モジュール４０が適用される携帯機器端末１０について説明する。図３において、（Ａ）は携帯機器端末１０を開いた状態の正面図であり、（Ｂ）は携帯機器端末１０を開いた状態の透視側面図である。図示の携帯機器端末１０は、折り畳み型携帯電話機の例を示している。
【００２３】
図示の携帯機器端末（折り畳み型携帯電話機）１０は、表示部１１を有する上側ユニット２０と、操作部１２を有する下側ユニット３０と、上側ユニット２０と下側ユニット３０を開閉自在に結合し、かつ適宜の接続手段により電気的に接続するヒンジ部１３とから主に構成されている。
【００２４】
下側ユニット３０の一主面（操作面）３０ａ上には、この折り畳み型携帯電話機１０の持つ機能を利用するための複数の操作キーより構成される操作部１２が配設されている。また、操作面３０ａの下端部分には、送話部（マイクロホン）（図示せず）が配置されている。
【００２５】
上側ユニット２０の一主面（表示面）２０ａ上には、略矩形をした表示部１１が配置されている。また、表示面２０ａの上端部分には受話部（スピーカ）（図示せず）が配設されている。
【００２６】
図３（Ｂ）に示されるように、上側ユニット２０は上側回路基板２２を内蔵し、下側ユニット３０は下側回路基板３２を内蔵している。本発明の第１の実施の形態に係る受信モジュール４０は、図３（Ｂ）に示されるように、上側ユニット２０の上端部に内蔵されている。
【００２７】
図４を参照して、本発明の第１の実施の形態に係る受信モジュール４０について説明する。図４は、受信モジュール４０の構成を示す回路ブロック図である。
【００２８】
受信モジュール４０は、互いに対向する主面４２ａと裏面（後述する）とを持つモジュール基板４２と、モジュール基板４２の主面４２ａ上および裏面上に形成されたアンテナパターン４４と、モジュール基板４２の主面４２ａ上に形成されたグランドパターン４６と、このグランドパターン４６上に実装された受信回路部５０とを備える。モジュール基板４２は矩形形状をしている。アンテナパターン４４は、アンテナパターン幅ＷＡを持つ。図示の例では、アンテナパターン幅ＷＡは２ｍｍである。
【００２９】
尚、回路部５０は、グランドパターン４６上に、グランドパターン４６と絶縁された状態で、実装されている。
【００３０】
図４に示されるように、アンテナパターン４４の一部とグランドパターン４６の一部とが、後述するように、所定の間隔をもって対向配置されている。
【００３１】
アンテナパターン４４は、モジュール基板４２の主面４２ａ上に形成された第１のアンテナパターン部分４４２と、モジュール基板４２の裏面上に形成された第２のアンテナパターン部分（後述する）とから成る。第１のアンテナパターン部分４４２と第２のアンテナパターン部分とはモジュール基板４２を介して対向配置され、スルーホール４４６を介して互いに電気的に接続されている。
【００３２】
図４に示されるように、第１のアンテナパターン部分４４２はη字形状をしている。詳述すると、第１のアンテナパターン部分４４２は、モジュール基板４２の上端部で左右方向に延在して形成された第１の延在部分４４２−１と、この第１の延在部分４４２−１と平行に間隔を空けて左右方向に延在して形成された第２の延在部分４４２−２と、モジュール基板４２の右端部で第１の延在部分４４２−１と第２の延在部分４４２−２とを連結するように上下方向に延在する連結部分４４２−３とから構成されている。図４に示されるように、第１の延在部分４４２−１は、第２の延在部分４４２−２よりも距離Ａだけ長い長さを持つ。
【００３３】
後述するように、第２のアンテナパターン部分は、第１のアンテナパターン部分４４２の第１の延在部分４４２−１とモジュール基板４２を介して対向配置されている。尚、アンテナパターン幅ＷＡはなるべく広い方が良い。何故なら、ワンセグ放送の受信帯域をカバーする必要があるからである。
【００３４】
上記所定の間隔と距離Ａとを調整することによって、アンテナパターン４４とグランドパターン４６との間の結合（キャパシタ成分）を調整することができる。
【００３５】
受信回路部５０は、アンテナパターン４４で受信した信号を増幅する低雑音増幅器（ＬＮＡ）５２と、この低雑音増幅器（ＬＮＡ）５２とアンテナパターン４４との間に配置されたマッチング回路５４と、低雑音増幅器（ＬＮＡ）５２で増幅された信号から所定の周波数範囲の信号を通過させるフィルタ回路（ＦＩＬ）５６と、このフィルタ回路（ＦＩＬ）５６に対して受信処理を行うワンセグモジュール部５８とを備える。マッチング回路５４は、低雑音増幅器（ＬＮＡ）５２とアンテナパターン４４との間のマッチングをとる回路である。
【００３６】
受信モジュール４０のアンテナ利得／周波数特性は、低雑音増幅器（ＬＮＡ）５２の前後の定数で変えることができる。したがって、受信モジュール４０の性能を改善できる。
【００３７】
受信回路部５０（モジュール基板４２）は、フレキシブルプリント基板（ＦＰＣ）６０を介して本体（上側回路基板２２）と接続されている。
【００３８】
このような構成の受信モジュール４０では、アンテナパターン４４とワンセグモジュール部５８とが同じモジュール基板４２上で構成されているので、受信モジュール４０を市販されている内蔵アンテナと同等のサイズとすることが可能となる。すなわち、受信モジュール４０の小型化／薄型化を図ることができる。受信モジュール４０（受信回路部５０）は低雑音増幅器（ＬＮＡ）５２を備えているので、トータルとしてのアンテナ利得を上げることができる。さらに、アンテナ利得に悪影響を与えないように、後述するように、アンテナパターン４４とグランドパターン４６とを配置している。
【００３９】
また、モジュール基板４２と本体の上側回路基板２２との間の接続をフレキシブルプリント基板６０を介して行っているので、本体との接続を容易に行うことができる。フレキシブルプリント基板６０では、その長さと設置場所を容易に変えることができる。フレキシブルプリント基板６０を使用しているので、受信モジュール４０（モジュール基板４２）と本体（上側回路基板２２）との接続面が水平となる。
【００４０】
以下では、上記所定の間隔における最適な範囲について説明する。尚、図４に示した受信モジュール４０から回路部５０を除いたものを、基板アンテナと呼ぶことにする。
【００４１】
図５は受信モジュールに使用される基板アンテナ４０Ａの一例を示す平面図である。但し、図示の基板アンテナ４０Ａでは、アンテナパターン４４Ａがモジュール基板４２の主面４２ａ上にのみ形成され、モジュール基板４２の裏面には形成されていない。換言すれば、アンテナパターン４４Ａは、第１のアンテナパターン部分４４２のみから構成されている。
【００４２】
モジュール基板４２は、左右方向にＬの長さを持ち、上下方向にＷの幅を持っている。図示の例では、長さＬは４４ｍｍであり、幅Ｗは１０ｍｍである。また、上述したように、アンテナパターン４４Ａのアンテナパターン幅ＷＡは２ｍｍである。上記所定の間隔をＸで示している。図示の例では、この所定の間隔Ｘを１ｍｍ、３ｍｍ、５ｍｍと変化させる。
【００４３】
図６に、所定の間隔Ｘを変化させたときの、基板アンテナ４０ＡのＶＳＷＲの周波数特性を示す。図６において、横軸は周波数（Frequency）［ＭＨｚ］を示し、縦軸はＶＳＷＲを示す。図６は、所定の間隔Ｘが、それぞれ、１ｍｍ、３ｍｍ、および５ｍｍであるときの、基板アンテナ４０ＡのＶＳＷＲの周波数特性を示す。
【００４４】
図６から、ワンセグ放送の受信周波数帯（４７０ＭＨｚ〜７７０ＭＨｚ）において、所定の間隔Ｘが３ｍｍと５ｍｍの場合では、ＶＳＷＲが６以下に抑えられていることが分かる。しかしながら、ワンセグ放送の受信周波数帯（４７０ＭＨｚ〜７７０ＭＨｚ）において、所定の間隔Ｘが１ｍｍの場合、ＶＳＷＲが６以上になることがある。また、所定の間隔Ｘが３ｍｍの方が、５ｍｍの場合と比較して、ＶＳＷＲがより低く抑えられていることが分かる。
【００４５】
以上のことから、所定の間隔Ｘが３ｍｍ〜５ｍｍの範囲にあれば、良好なＶＳＷＲの周波数特性が得られることが分かる。さらに、所定の間隔Ｘが実質的に３ｍｍであることがより好ましいことが分かる。
【００４６】
図７に、所定の間隔Ｘを変化させたときの、基板アンテナ４０Ａのアンテナ効率の周波数特性を示す。図７において、横軸は周波数（Frequency）［ＭＨｚ］を示し、縦軸はアンテナ効率（Efficiency）［ｄＢ］を示す。図７は、所定の間隔Ｘが、それぞれ、１ｍｍ、３ｍｍ、および５ｍｍであるときの、基板アンテナ４０Ａのアンテナ効率の周波数特性を示す。
【００４７】
図７から、ワンセグ放送の受信周波数帯（４７０ＭＨｚ〜７７０ＭＨｚ）において、所定の間隔Ｘが３ｍｍおよび５ｍｍの場合の方が、１ｍｍの場合に比較して、アンテナ効率が良好であることが分かる。また、所定の間隔Ｘが３ｍｍの方が、５ｍｍの場合と比較して、アンテナ効率が良好な範囲が広いことが分かる。
【００４８】
以上のことから、所定の間隔Ｘが３ｍｍ〜５ｍｍの範囲にあれば、良好なアンテナ効率の周波数特性が得られることが分かる。さらに、所定の間隔Ｘが実質的に３ｍｍであることがより好ましいことが分かる。
【００４９】
図８は受信モジュールに使用される基板アンテナ４０Ｂの他の例を示す図である。図８において、（Ａ）は基板アンテナ４０Ｂの平面図であり、（Ｂ）は基板アンテナ４０Ｂの底面図である。図示の基板アンテナ４０Ｂにおいて、アンテナパターン４４は、モジュール基板４２の主面４２ａ上に形成された第１のアンテナパターン部４４２と、モジュール基板４２の裏面４２ｂ上に形成された第２のアンテナパターン部４４４とから構成されている。第１のアンテナパターン部４４２と第２のアンテナパターン部４４４とは、モジュール基板４２を介して対向配置されており、スルーホール４４６（図４参照）を介して互いに電気的に接続されている。
【００５０】
モジュール基板４２は、左右方向にＬの長さを持ち、上下方向にＷの幅を持っている。図示の例では、長さＬは４４ｍｍであり、幅Ｗは１０ｍｍである。また、上述したように、アンテナパターン４４Ａのアンテナパターン幅ＷＡは２ｍｍである。さらに、上記所定の間隔Ｘは３ｍｍである。
【００５１】
図９に、アンテナパターンに折り返しが有る基板アンテナ４０Ｂ（図８）とアンテナパターンに折り返しが無い基板アンテナ４０Ａ（図５）とのアンテナ効率の周波数特性を示す。図９において、横軸は周波数（Frequency）［ＭＨｚ］を示し、縦軸はアンテナ効率（Efficiency）［ｄＢ］を示す。
【００５２】
図９から、ワンセグ放送の受信周波数帯（４７０ＭＨｚ〜７７０ＭＨｚ）において、アンテナパターンに折り返しが有る基板アンテナ４０Ｂ（図８）方が、アンテナパターンに折り返しが無い基板アンテナ４０Ａ（図５）と比較して、アンテナ効率が良好な範囲が広いことが分かる。
【００５３】
本実施の形態に係る受信モジュールでは、アンテナパターンに折り返しがなくても良いし、折り返しがあっても良い。アンテナパターンに折り返しがある場合、モジュール基板を多層構造として、アンテナパターンを複数回折り返しても良い。
【００５４】
図１０は、各種の基板アンテナを示す断面図である。図１０において、（Ａ）はアンテナパターンに折り返しがない基板アンテナ４０Ａを示す断面図であり、（Ｂ）はアンテナパターンに折り返しがある２層構造の基板アンテナ４０Ｂを示す断面図であり、（Ｃ）はアンテナパターンに折り返しがある４層構造の基板アンテナ４０Ｃを示す断面図である。
【００５５】
図１０において、モジュール基板４２は樹脂材から成り、その厚さＴは０．４ｍｍである。また、アンテナパターンは銅箔から構成されている。
【００５６】
図１０（Ａ）に示されるように、アンテナパターンに折り返しがない基板アンテナ４０Ａでは、アンテナパターン４４Ａは、モジュール基板４２の主面４２ａ上に形成された第１のアンテナパターン部分４４２のみから構成されている。
【００５７】
図１０（Ｂ）に示されるように、アンテナパターンに折り返しがある２層構造の基板アンテナ４０Ｂでは、アンテナパターン４４は、モジュール基板４２の主面４２ａ上に形成された第１のアンテナパターン部分４４２と、モジュール基板４２の裏面４２ｂ上に形成された第２のアンテナパターン部分４４４とから構成されている。
【００５８】
図１０（Ｃ）に示されるように、アンテナパターンに折り返しがある４層構造の基板アンテナ４０Ｃでは、アンテナパターン４４Ｂは、モジュール基板４２の主面４２ａ上に形成された第１のアンテナパターン部分４４２と、モジュール基板４２の裏面４２ｂ上に形成された第２のアンテナパターン部分４４４と、モジュール基板４２の中間層に形成された中間アンテナパターン部分４４８とから構成されている。
【００５９】
以上、本発明について好ましい実施の形態によって説明してきたが、本発明は上述した実施の形態に限定しないのは勿論である。上述した実施の形態では、受信モジュールが適用される携帯機器端末として折り畳み型携帯電話機の場合を例に挙げて説明したが、他の型の携帯電話機であってもよく、携帯電話機以外の携帯機器端末であっても良いのは勿論である。また、上述した実施の形態では、受信回路部が、低雑音増幅器とマッチング回路とフィルタ回路とモジュール部との組み合わせから構成されたものを例に挙げて説明しているが、受信回路部は他の構成であっても良いのは勿論である。さらに、上述した実施の形態では、本体と受信モジュールと本体との間の接続をフレキシブルプリント基板を使用して行っているが、基板−基板コネクタを使用してもよい。
【符号の説明】
【００６０】
１０    携帯機器端末（折り畳み型携帯電話機）
１１    表示部
１２    操作部
１３    ヒンジ部
２０    上側ユニット
２２    上側回路基板
３０    下側ユニット
３２    下側回路基板
４０    受信モジュール
４０Ａ、４０Ｂ、４０Ｃ    基板アンテナ
４２    モジュール基板
４２ａ    主面
４２ｂ    裏面
４４、４４Ａ、４４Ｂ    アンテナパターン
４４２    第１のアンテナパターン部分
４４２−１    第１の延在部分
４４２−２    第２の延在部分
４４２−３    連結部分
４４４    第２のアンテナパターン部分
４４６    スルーホール
４４８    中間アンテナパターン部分
４６    グランドパターン
５０    受信回路部
５２    低雑音増幅器（ＬＮＡ）
５４    マッチング回路
５６    フィルタ回路（ＦＩＬ）
５８    ワンセグモジュール部
６０    フレキシブルプリント基板（ＦＰＣ）
Ｘ    所定の間隔
【図１】
0005549800.tif 000002
【図２】
0005549800.tif 000003
【図３】
0005549800.tif 000004
【図４】
0005549800.tif 000005
【図５】
0005549800.tif 000006
【図６】
0005549800.tif 000007
【図７】
0005549800.tif 000008
【図８】
0005549800.tif 000009
【図９】
0005549800.tif 000010
【図１０】
0005549800.tif 000011